(57)【要約】    【課題】      携帯電話装置に発生した障害が前記携帯電話装置の携帯電話回線への接続障害である場合にも障害情報の携帯電話管理局への通知を可能とし、前記障害情報の通知のための前記携帯電話回線の不必要な接続を防止できるようにすること。    【解決手段】  制御部１０５は、障害検出部１０９が携帯電話装置１００に発生する障害を検出した場合に障害情報を作成して記憶部１０６に記憶し、制御部１０５により携帯電話装置１００を再起動する。次いで、制御部１０５は、前記再起動後、前記障害の内容及び前記障害情報を携帯電話管理局に通知するか否かを使用者に選択させる障害情報通知選択画像を表示部１０７に表示する。使用者が前記障害情報の通知を選択した場合に、制御部１０５は、携帯電話装置１００の携帯電話回線への接続を確立し、記憶部１０６に記憶されている前記障害情報を前記携帯電話管理局に送信する。  【選択図】      図１
2005086749.tif 000002
【特許請求の範囲】
【請求項１】
携帯電話装置に発生した障害を検出して前記障害の障害情報を生成する障害検出手段と、前記障害情報を記憶する記憶手段と、
少なくとも前記障害が前記携帯電話装置の携帯電話回線への接続障害である場合に前記携帯電話装置を再起動する再起動手段と、
前記携帯電話装置を管理する携帯電話管理局に前記障害情報を通知するか否かを選択する選択手段と、
前記選択手段により前記障害情報の通知が選択された場合に前記携帯電話装置を前記携帯電話回線に接続して前記記憶手段により記憶された前記障害情報を前記携帯電話管理局に送信する送信手段と、を具備することを特徴とする携帯電話装置。
【請求項２】
前記携帯電話装置の現在位置を測定して位置情報を生成する位置測定手段を備え、
前記送信手段は、前記選択手段により前記障害情報の通知が選択された場合に前記障害情報と前記位置情報とを前記携帯電話管理局に送信することを特徴とする請求項１記載の携帯電話装置。
【請求項３】
携帯電話装置に発生した障害を検出して前記障害の障害情報を生成する障害検出ステップと、
前記障害情報を記憶手段により記憶する記憶ステップと、少なくとも前記障害が前記携帯電話装置の携帯電話回線への接続障害である場合に前記携帯電話装置を再起動する再起動ステップと、
前記携帯電話装置を管理する携帯電話管理局に前記障害情報を通知するか否かを選択する選択ステップと、
前記選択ステップにおいて前記障害情報の通知が選択された場合に前記携帯電話装置を前記携帯電話回線に接続して前記記憶ステップにおいて記憶された前記障害情報を前記携帯電話管理局に送信する送信ステップと、を具備することを特徴とする障害情報通知方法。
【請求項４】
前記携帯電話装置の現在位置を測定して前記携帯電話装置の位置情報を生成する位置測定ステップを備え、
前記送信ステップは、前記選択ステップにおいて前記障害情報の通知が選択された場合に前記障害情報に加えて前記位置情報を前記携帯電話管理局に送信することを特徴とする請求項３記載の障害情報通知方法。
【請求項５】
前記携帯電話回線に接続して前記携帯電話管理局に送信する前記携帯電話装置の送信情報が前記障害情報である場合に前記携帯電話管理局が前記携帯電話装置の前記携帯電話回線への接続料金を課金しないステップを具備することを特徴とする請求項３または請求項４のいずれかに記載の障害情報通知方法。
【発明の詳細な説明】
【技術分野】
【０００１】
本発明は、携帯電話装置及び障害情報通知方法に関し、詳しくは、携帯電話装置に発生した障害を検出して生成された障害情報を、前記携帯電話装置が接続する携帯電話回線を使用して携帯電話管理局に通知する携帯電話装置及び障害情報通知方法に関するものである。
【背景技術】
【０００２】
従来の障害情報通知方法として、障害を検出する検出手段により検出された障害の障害情報を、公衆回線を通して保守担当局に通知する障害情報転送方式が知られている（例えば、特許文献１参照）。この障害情報転送方式は、障害を検出する検出手段と、前記検出手段により検出された障害情報を保守担当局に通知する障害情報転送手段と、公衆回線を前記障害情報転送手段からの起動により前記障害情報転送手段に切り換え接続する切換手段と、を備えている。
【特許文献１】特開平２−５１９９１号公報
【発明の開示】
【発明が解決しようとする課題】
【０００３】
しかしながら、前記従来の障害情報通知方法においては、障害からの復帰を待つことなく前記公衆回線を前記障害情報転送手段に切り換えて前記公衆回線を通して障害情報を前記保守担当局に通知している。従って、この従来の障害情報通知方法では、前記障害が携帯電話装置の携帯電話回線への接続障害であった場合に前記携帯電話装置と前記携帯電話回線との接続が復帰されずに切断されたままとなるため前記障害情報を前記保守担当局に相当する携帯電話管理局に通知できなくなるという問題がある。
【０００４】
また、従来の障害情報通知方法は、前記検出手段が障害を検出すると必ず障害情報を前記保守担当局に通知する構成を有している。従って、この従来の障害情報通知方法では、前記検出手段により検出された障害が以前に検出されたことがあり既に前記保守担当局に通知されている障害であっても前記障害情報を前記保守担当局に通知するため前記障害情報転送手段が前記公衆回線に再度接続されてしまい前記公衆回線が不必要に占有されてしまうという問題がある。
【０００５】
本発明は、かかる点に鑑みてなされたものであり、携帯電話装置に発生した障害が前記携帯電話装置の携帯電話回線への接続障害である場合にも障害情報の携帯電話管理局への通知を可能とし、前記障害情報の通知のための前記携帯電話回線の不必要な接続を抑制できる携帯電話装置及び障害情報通知方法を提供することを目的としている。
【課題を解決するための手段】
【０００６】
請求項１記載の携帯電話装置は、携帯電話装置に発生した障害を検出して前記障害の障害情報を生成する障害検出手段と、前記障害情報を記憶する記憶手段と、少なくとも前記障害が前記携帯電話装置の携帯電話回線への接続障害である場合に前記携帯電話装置を再起動する再起動手段と、前記携帯電話装置を管理する携帯電話管理局に前記障害情報を通知するか否かを選択する選択手段と、前記選択手段により前記障害情報の通知が選択された場合に前記携帯電話装置を前記携帯電話回線に接続して前記記憶手段により記憶された前記障害情報を前記携帯電話管理局に送信する送信手段と、を具備する構成を採る。
【０００７】
この構成によれば、少なくとも前記障害が接続障害である場合には、前記携帯電話装置が前記再起動手段により再起動されるので、前記携帯電話装置と前記携帯電話回線との接続が復帰される。従って、この構成においては、前記障害が前記携帯電話装置の前記携帯電話回線への接続障害であった場合でも、前記障害情報を前記携帯電話管理局へ通知することができる。また、この構成においては、前記携帯電話管理局に前記障害情報を通知するか否かを前記選択手段により選択できるので、前記障害情報の送信による前記携帯電話回線への前記携帯電話装置の不必要な接続を抑制でき、前記検出手段により検出された障害が以前に検出されたことがあり既に前記携帯電話管理局に通知されている障害の場合に前記障害情報を前記携帯電話管理局に送信しないようにして前記携帯電話回線の不必要な占有を解消することができる。
【０００８】
また、請求項２記載の携帯電話装置は、請求項１記載の発明において、前記携帯電話装置の現在位置を測定して位置情報を生成する位置測定手段を備え、前記送信手段は、前記選択手段により前記障害情報の通知が選択された場合に前記障害情報と前記位置情報とを前記携帯電話管理局に送信する構成を採る。
【０００９】
この構成によれば、前記障害情報を通知された携帯電話管理局は、前記障害の発生場所の連絡の有無によらず、前記位置測定手段により測定して生成された前記位置情報に基づいて、前記障害が発生した前記携帯電話装置の位置を特定することができる。従って、この構成においては、請求項１記載の発明の効果に加えて、前記携帯電話装置に発生した前記障害の発生原因を特定しやすくなる。
【００１０】
請求項３記載の障害情報通知方法は、携帯電話装置に発生した障害を検出して前記障害の障害情報を生成する障害検出ステップと、前記障害情報を記憶手段により記憶する記憶ステップと、少なくとも前記障害が前記携帯電話装置の携帯電話回線への接続障害である場合に前記携帯電話装置を再起動する再起動ステップと、前記携帯電話装置を管理する携帯電話管理局に前記障害情報を通知するか否かを選択する選択ステップと、前記選択ステップにおいて前記障害情報の通知が選択された場合に前記携帯電話装置を前記携帯電話回線に接続して前記記憶ステップにおいて記憶された前記障害情報を前記携帯電話管理局に送信する送信ステップと、を具備するようにした。
【００１１】
この方法によれば、少なくとも前記障害が接続障害である場合には、前記携帯電話装置が前記再起動手段により再起動されるので、前記携帯電話装置と前記携帯電話回線との接続が復帰される。従って、この方法においては、前記障害が前記携帯電話装置の前記携帯電話回線への接続障害であった場合でも、前記障害情報を前記携帯電話管理局へ通知することができる。また、この構成においては、前記携帯電話管理局に前記障害情報を通知するか否かを前記選択手段により選択できるので、前記障害情報の送信による前記携帯電話回線への前記携帯電話装置の不必要な接続を抑制でき、前記検出手段により検出された障害が以前に検出されたことがあり既に前記携帯電話管理局に通知されている障害の場合に前記障害情報を前記携帯電話管理局に送信しないようにして前記携帯電話回線の不必要な占有を解消することができる。
【００１２】
また、請求項４記載の障害情報通知方法は、請求項３記載の発明において、前記携帯電話装置の現在位置を測定して前記携帯電話装置の位置情報を生成する位置測定ステップを備え、前記送信ステップは、前記選択ステップにおいて前記障害情報の通知が選択された場合に前記障害情報に加えて前記位置情報を前記携帯電話管理局に送信するようにした。
【００１３】
この方法によれば、前記障害情報を通知された携帯電話管理局は、前記障害の発生場所の連絡の有無によらず、前記位置測定ステップで測定して生成された前記位置情報に基づいて、前記障害が発生した前記携帯電話装置の位置を特定することができる。従って、この方法によれば、請求項３記載の発明の効果に加えて、前記携帯電話装置に発生した前記障害の発生原因を特定しやすくなる。
【００１４】
また、請求項５記載の障害情報通知方法は、請求項３または請求項４記載の発明において、前記携帯電話回線に接続して前記携帯電話管理局に送信する前記携帯電話装置の送信情報が前記障害情報である場合に前記携帯電話管理局が前記携帯電話装置の前記携帯電話回線への接続料金を課金しないステップを具備するようにした。
【００１５】
この方法によれば、前記携帯電話装置を前記携帯電話回線に接続して前記携帯電話管理局に前記障害情報を送信した場合には、前記携帯電話管理局により前記携帯電話装置の前記携帯電話回線への接続料金が課金されることがない。従って、この方法においては、請求項３または請求項４記載の発明の効果に加えて、前記携帯電話管理局への前記障害情報の送信により前記携帯電話装置の使用者が不利益を受けることが無くなる。
【発明の効果】
【００１６】
以上説明したように、本発明によれば、携帯電話装置に発生した障害が前記携帯電話装置の携帯電話回線への接続障害である場合にも前記障害情報を携帯電話管理局に通知することができ、かつ前記障害情報の通知のための前記携帯電話回線の不必要な接続を防止することができる。
【発明を実施するための最良の形態】
【００１７】
本発明の骨子は、少なくとも障害が接続障害である場合に携帯電話装置を再起動し、前記携帯電話装置を管理する携帯電話管理局に障害情報を通知するか否かを選択し、前記障害情報の通知が選択された場合に前記障害情報を前記携帯電話管理局に送信するようにしたことである。
【００１８】
以下、本発明の実施の形態について、図面を参照して詳細に説明する。
【００１９】
（実施の形態１）
図１は、本発明の実施の形態１に係る携帯電話装置の構成を示すブロック図である。
【００２０】
図１に示すように、携帯電話装置１００は、アンテナ部１０１、無線部１０２、音声入力部１０３、音声出力部１０４、制御部１０５、記憶部１０６、表示部１０７、操作部１０８及び障害検出部１０９を具備している。
【００２１】
アンテナ部１０１は、無線部１０２からの信号を無線信号として送信し、交信する通信装置からの無線信号を受信信号として無線部１０２へ送る。無線部１０２は、アンテナ部１０１に入出力する信号を変復調する。音声入力部１０３は、携帯電話装置１００に入力された音声を音声信号に変換する。音声出力部１０４は、携帯電話装置１００の音声信号を音声に変換して出力する。制御部１０５は、中央演算処理装置（ＣＰＵ）等で構成され携帯電話装置１００の各部を制御する。記憶部１０６は、後述する障害情報及び電話帳等のデータを記憶する。表示部１０７は、液晶表示器等で構成され前記障害情報の内容及び前記障害情報を通知するか否かを前記使用者に選択させる選択画像並びに電話帳等のデータを文字及び画像等にして表示する。操作部１０８は、テンキー及びその他の操作キーで構成され、操作信号及びデータ等を入力する。障害検出部１０９は、携帯電話装置１００に発生した通信障害及び接続障害等の障害を検出して前記障害の障害情報を生成する。
【００２２】
次に、本実施の形態１に係る携帯電話装置１００の障害情報の通知動作について説明する。図２は、本実施の形態１に係る携帯電話装置１００の障害情報の通知動作を示すフローチャートである。
【００２３】
図２において、携帯電話装置１００の障害情報の通知動作がスタートすると、まず、携帯電話装置１００の制御部１０５は、ステップＳＴ２０１において待ち受け動作または音声通話等の通常の携帯電話処理を行う。ステップＳＴ２０１での処理が完了すると、制御部１０５は、処理動作をステップＳＴ２０２に遷移させ、障害検出部１０９が携帯電話装置１００に発生する障害を検出した否かを判定する。
【００２４】
次いで、制御部１０５は、ステップＳＴ２０２で「ＹＥＳ」の場合、つまり障害検出部１０９が前記障害を検出した場合にステップＳＴ２０３からステップＳＴ２０７までの処理を順に実行する。また、制御部１０５は、ステップＳＴ２０２で「ＮＯ」の場合、つまり障害検出部１０９が前記障害を検出しなかった場合に処理動作をステップＳＴ２０１に戻して通常の携帯電話処理を継続する。
【００２５】
次いで、制御部１０５は、ステップＳＴ２０３において前記障害の発生時における電波状況及び携帯電話装置１００の状態等の障害情報を作成し、ステップＳＴ２０４においてステップＳＴ２０３で作成した前記障害情報を記憶部１０６に記憶する。そして、制御部１０５は、ステップＳＴ２０５において携帯電話装置１００を再起動する。
【００２６】
次いで、制御部１０５は、携帯電話装置１００の再起動が完了した後、ステップＳＴ２０６において前記障害の内容を表示部１０７に表示する。携帯電話装置１００の使用者は、この表示部１０７に表示された前記障害の内容を確認することで前記障害の種類及び程度（レベル）等を知ることができる。
【００２７】
次いで、制御部１０５は、ステップＳＴ２０７において記憶部１０６に記憶した前記障害情報を携帯電話管理局に通知するか否かを使用者に選択させるための障害情報通知選択画像を表示部１０７に表示する。
【００２８】
その後、制御部１０５は、処理動作をステップＳＴ２０８に進ませ、使用者は、ステップＳＴ２０７で表示部１０７に表示された前記障害情報通知選択画面を見ながら操作部１０８のキーを操作して前記障害情報を携帯電話管理局に通知するか否かを選択する。そして、制御部１０５は、ステップＳＴ２０８において「ＹＥＳ」の場合、つまり使用者が前記障害情報の通知を選択した場合にステップＳＴ２０９からステップ２１１の処理を順に実行する。
【００２９】
次いで、制御部１０５は、ステップＳＴ２０９において無線部１０２及びアンテナ部１０１を経由して無線接続する携帯電話装置１００の通信回線の携帯電話回線への接続を確立する。そして、制御部１０５は、ステップＳＴ２１０において記憶部１０６に記憶されている前記障害情報を記憶部１０６に予め登録されている所定の携帯電話管理局の宛先に送信する。次いで、制御部１０５は、ステップＳＴ２１１において前記障害情報の前記携帯電話管理局への送信が完了した後、前記携帯電話回線と携帯電話装置１００の通信回線との接続を切断し、処理動作をステップＳＴ２０１に戻して通常の携帯電話処理を行う。
【００３０】
また、制御部１０５は、ステップＳＴ２０８で「ＮＯ」の場合、つまり使用者が前記障害情報の通知を選択しなかった場合に処理動作をステップＳＴ２０１に戻して通常の携帯電話処理を行う。
【００３１】
上述のように、本発明の実施の形態１に係る携帯電話装置１００においては、前記障害が発生した際に、前記障害情報を携帯電話管理局に通知する前に、携帯電話装置１００を再起動するようにしたので、前記障害が携帯電話装置１００の前記携帯電話回線への接続障害である場合においても、前記再起動により携帯電話装置１００の前記携帯電話回線への接続を復旧させることが可能になり、前記障害情報を前記携帯電話管理局に確実に通知することができる。
【００３２】
また、本発明の実施の形態１に係る携帯電話装置１００においては、前記障害情報通知選択画面を表示部１０７に表示して、前記障害情報を前記携帯電話管理局に通知するか否かを使用者に選択させるようにしたので、以前にも発生したことがある重複した障害情報の前記携帯電話管理局への通知を使用者の判断により防止することができる。
【００３３】
次に、本発明の実施の形態２に係る携帯電話装置について、図面を参照して詳細に説明する。
【００３４】
（実施の形態２）
図３は、本発明の実施の形態２に係る携帯電話装置の構成を示すブロック図である。なお、本実施の形態２に係る携帯電話装置においては、実施の形態１に係る携帯電話装置１００の構成と同一のものには同一符号を付してその説明を省略する。
【００３５】
図３に示すように、本実施の形態２に係る携帯電話装置３００は、実施の形態１に係る携帯電話装置１００の構成に加えて、例えば、ＧＰＳ（Ｇｌｏｂａｌ  Ｐｏｓｉｔｉｏｎｉｎｇ  Ｓｙｓｔｅｍ；全地球測位システム）を用いた位置測定手段としての位置測定部３０１を具備している。この位置測定部３０１は、携帯電話装置３００が位置している緯度及び経度等を測定して携帯電話装置３００の位置を示す位置情報を生成する。なお、位置測定部３０１は、携帯電話装置３００に内蔵するタイプまたは携帯電話装置３００に外付けするタイプの何れであってもよい。
【００３６】
次に、本実施の形態２に係る携帯電話装置３００の障害情報の通知動作について説明する。図４は、本実施の形態２に係る携帯電話装置３００の障害情報の通知動作を示すフローチャートである。
【００３７】
図４に示すステップＳＴ４０１からステップＳＴ４０７までの処理は、図２におけるステップＳＴ２０１からステップＳＴ２０７までの処理と同一であるので説明を省略する。
【００３８】
図４において、ステップＳＴ４０１からステップＳＴ４０７までの処理が完了した後、処理動作はステップＳＴ４０８に進み、使用者は、ステップＳＴ４０７で表示部１０７に表示された障害情報通知選択画像を見ながら操作部１０８のキーを操作して、前記障害情報を携帯電話管理局に通知するか否かを選択する。次いで、制御部１０５は、ステップＳＴ４０８において「ＹＥＳ」の場合、つまり使用者が前記障害情報の通知を選択した場合にステップＳＴ４０９からステップＳＴ４１２の処理を順に実行する。
【００３９】
制御部１０５は、ステップＳＴ４０９において位置測定部３０１からの入力信号に基づいて前記位置情報を作成する。ステップＳＴ４１０において無線部１０２及びアンテナ部１０１を経由して無線接続する携帯電話装置３００の通信回線の携帯電話回線への接続を確立する。次いで、制御部１０５は、ステップＳＴ４１１において記憶部１０６に記憶されている前記障害情報及びステップＳＴ４０９で作成された携帯電話装置３００の位置情報を、記憶部１０６に予め登録されている所定の携帯電話管理局の宛先に送信する。そして、制御部１０５は、前記障害情報及び前記位置情報の前記携帯電話管理局への送信が完了した後、ステップＳＴ４１２において前記携帯電話回線と携帯電話装置３００の通信回線との接続を切断し、処理動作をステップＳＴ４０１に戻して通常の携帯電話処理を実行する。
【００４０】
また、制御部１０５は、ステップＳＴ４０８で「ＮＯ」の場合、つまり使用者が前記障害情報の通知を選択しなかった場合に処理動作をステップＳＴ４０１に戻して通常の携帯電話処理を実行する。
【００４１】
上述のように、本発明の実施の形態２に係る携帯電話装置３００においては、前記障害が発生した際に、図４のステップＳＴ４０３で作成した前記障害情報と、ステップＳＴ４０９で生成した携帯電話装置３００の位置情報とを、前記携帯電話管理局に通知することができるようになる。これにより、前記携帯電話管理局は、携帯電話装置３００から通知された前記障害情報及び前記位置情報に基づいて、携帯電話装置３００の前記障害が発生した位置を特定することができるようになる。従って、本実施の形態２に係る携帯電話装置３００によれば、多種多様な場所で使用されることが多い携帯電話装置の障害の発生原因を特定するのに極めて有用となるという効果が得られる。
【００４２】
ところで、上述の携帯電話装置１００、３００の障害情報通知方法においては、図２のステップＳＴ２０９または図４のステップＳＴ４１０の携帯電話回線への接続が、前記障害情報の通知のための接続であるか否かを前記携帯電話管理局が判別することにより、前記障害情報を通知するための接続の場合に使用者に課金しないようにすることができる。
【００４３】
図５は、前記携帯電話回線への接続が前記障害情報を通知するための接続である場合に使用者に課金しないようにした前記携帯電話管理局における課金制御部（図示せず）の動作を示すフローチャートである。
【００４４】
図５において、前記課金制御部は、まず、ステップＳＴ５０１で前記携帯電話回線の接続の有無を判定する。次いで、前記課金制御部は、ステップＳＴ５０１で「ＮＯ」の場合、つまり前記携帯電話回線の接続が無い場合に前記携帯電話回線の接続を待つ。次いで、前記課金制御部は、ステップＳＴ５０１で「ＹＥＳ」の場合、つまり前記携帯電話回線の接続がありの場合に処理動作をステップＳＴ５０２に進めて携帯電話装置１００（または３００）からの送信情報が前記障害情報か否か判定する。
【００４５】
また、前記課金制御部は、ステップＳＴ５０２で「ＮＯ」の場合、つまり前記送信情報が前記障害情報では無い場合に処理動作をステップＳＴ５０３に進めて接続している携帯電話回線への通常の接続料金の課金処理を実行する。
【００４６】
一方、前記課金制御部は、ステップＳＴ５０２で「ＹＥＳ」の場合、つまり前記送信情報が前記障害情報である場合に接続している携帯電話回線への接続料金の課金を行わずに処理動作をステップＳＴ５０４に進める。
【００４７】
そして、前記課金制御部は、ステップＳＴ５０４で前記携帯電話回線が切断されたか否かを判定する。ここで、前記携帯電話回線が切断されたと判定した場合には、前記課金制御部は、処理動作を終了する。一方、前記課金制御部は、ステップＳＴ５０４において前記携帯電話回線が切断されていないと判定した場合には、庶路動作をステップＳＴ５０１に戻して処理動作を継続する。
【００４８】
このようなステップを備えた障害情報通知方法においては、前記携帯電話管理局に前記障害情報を通知する度に使用者が課金を受けるという不利益を無くすことができるので、使用者が前記障害情報の通知を躊躇することなく行うことができるという効果が得られる。
【００４９】
なお、制御部１０５は、障害検出部１０９により図２のステップＳＴ２０２または図４のステップＳＴ４０２で検出された障害が、制御部１０５により前記携帯電話回線への接続障害以外の障害であると判定した場合には、図２のステップＳＴ２０５または図４のステップＳＴ４０５における携帯電話装置の再起動を行わないようにしてもよい。あるいは、制御部１０５は、前述の場合に前記携帯電話装置の再起動を行う前に、この再起動を行うか否かの選択画面を表示部１０７に表示し、使用者が再起動するか否かを操作部１０８の操作により選択できるようにしてもよい。
【００５０】
また、前記携帯電話装置１００、３００においては、障害検出部１０９により図２のステップＳＴ２０２または図４のステップＳＴ４０２で検出された障害に対して、制御部１０５によりレベル付けを行い、例えば、前記障害のレベルが高い場合にのみ、前記携帯電話管理局に対して前記障害情報の通知を行うようにして、前記障害のレベルに応じて前記障害情報の通知を制限するようにしてもよい。
【００５１】
また、前記携帯電話装置１００、３００の制御部１０５は、少なくとも、ショートメッセージ、電子メールまたはファックスメッセージのいずれかの作成手段及び送信手段を備え、図２のステップＳＴ２１０または図４のステップＳＴ４１１で、前記障害情報を前記ショートメッセージ、前記電子メールまたは前記ファックスメッセージの何れかに出力して前記携帯電話管理局に送信するようにしてもよい。
【産業上の利用可能性】
【００５２】
本発明に係る携帯電話装置及び障害情報通知方法は、携帯電話装置に発生した障害が前記携帯電話装置の携帯電話回線への接続障害である場合にも前記障害情報を携帯電話管理局に通知することができ、かつ前記障害情報の通知のための前記携帯電話回線の不必要な接続を抑制することができる携帯電話装置及び障害情報通知方法等として有用である。
【図面の簡単な説明】
【００５３】
【図１】本発明の実施の形態１に係る携帯電話装置の構成を示すブロック図
【図２】本発明の実施の形態１に係る携帯電話装置における障害情報通知方法の動作を説明するためのフローチャート
【図３】本発明の実施の形態２に係る携帯電話装置の構成を示すブロック図
【図４】本発明の実施の形態２に係る携帯電話装置における障害情報通知方法の動作を説明するためのフローチャート
【図５】前記障害情報通知方法における携帯電話管理局の課金制御部の動作を示すフローチャート
【符号の説明】
【００５４】
１００、３００  携帯電話装置
１０１  アンテナ部
１０２  無線部
１０３  音声入力部
１０４  音声出力部
１０５  制御部
１０６  記憶部
１０７  表示部
１０８  操作部
１０９  障害検出部
３０１  位置測定部
【図１】
2005086749.tif 000003
【図２】
2005086749.tif 000004
【図３】
2005086749.tif 000005
【図４】
2005086749.tif 000006
【図５】
2005086749.tif 000007